(57)【特許請求の範囲】
【請求項１】
ファンケーシング（５）の内側面（５ｂ）であって被吸引物との接触により摩耗しやすい位置の前記ファンケーシング（５）の外表面（１３ａ）に、前記ファンケーシング（５）の内側面（５ｂ）側に向けて凹入する凹入部（１３）であって、前記被吸引物との接触により前記凹入部（１３）の内側面に生ずる摩耗を前記ファンケーシング（５）の外部から確認可能な前記凹入部（１３）を設けたこと特徴とするバキュームクリーナ。
【請求項２】
前記凹入部（１３）における前記外表面（１３ａ）が前記ファンケーシング（５）の内側面（５ｂ）に達することを特徴とする請求項１に記載のバキュームクリーナ。
【請求項３】
前記凹入部（１３）を前記ファンケーシング（５）の外周に沿って複数設けたことを特徴とする請求項１または２に記載のバキュームクリーナ。
【発明の詳細な説明】
【０００１】
【発明の属する技術分野】
本発明は、落葉や木片、塵芥等の清掃作業に使用されるバキュームクリーナに関し、特に、被吸引物との接触によるフアンケーシングの摩耗度を視覚や聴覚によって容易に確認できるバキュームクリーナに関する。
【０００２】
【従来の技術】
一般に、落葉や木片、塵芥等の清掃作業に使用されているバキュームクリーナは、図３に示されているように、本体部１が原動機としての空冷２サイクルガソリンエンジン２、始動用のリコイルスタータ３、燃料タンク４及びフアンケーシング５等で一体構成され、前記本体部１の一側に設けた前記フアンケーシング５の吸気口部にサクションパイプ６が着脱可能に連結されるとともに、前記フアンケーシング５の吹出し口５ａには吹出しパイプ７が着脱可能に連結され、さらに、該吹出しパイプ７の風下（吹出し）端に適宜の通気性を有するダストバッグ８が設けられて構成されている。図中、９及び１０は作業者が把持する操作ハンドルである。
【０００３】
また、図示していないが、前記フアンケーシング５内には、前記エンジン２の出力軸を介して回転させられるカッター及びフアン等が配設されている（特開平８−１３４３６号公報、Ｕ，Ｓ．ＰＡＴ．Ｎｏ．５２４５７２６等参照）。なお、前記フアンケーシング５、前記サクションパイプ６及び前記吹出しパイプ７等は、軽量化のためプラスチックスで構成されている。
【０００４】
【発明が解決しようとする課題】
前記のバキュームクリーナでは、落葉や木片、塵芥等の清掃作業に当たってエンジンを始動すると、該エンジンの出力軸を介して前記カッター及び前記フアンが回転させられ、落葉や木片、塵芥等の被吸引物がサクションパイプ６内に吸込まれ、まず、前記カッターによって粉砕され、さらに、前記フアンの働きによって前記フアンケーシング５の吹出し側に連結された前記吹出しパイプ７の風下（吹出し）端に設けられたダストバッグ８内に収納される。
【０００５】
その際、前記フアンの回転による遠心力によって、前記被吸引物が前記フアンケーシング５の内側面に摺接しながら前記吹出しパイプ７に送られるため、使用を継続すると、前記フアンケーシング５の内側面が前記被吸引物との接触によって摩耗させられる。
【０００６】
そして、前記フアンケーシング５の内側面が前記被吸引物との摺接によって徐々に摩耗するので、適当な時期にファンケーシング５の交換を行うことなく、そのまま長期間継続使用されると、清掃作業中に、前記フアンケーシング５が破損及び飛散したり、被吸引物が前記フアンケーシング５の破損部分から外部に飛び出す等の事態が生じる可能性もある。
【０００７】
本発明は、前記事情に鑑みてなされたもので、落葉や木片、塵芥等の被吸引物との摩擦接触による前記フアンケーシング５の摩耗度を、視覚や聴覚により容易に確認することができ、したがって、前記フアンケーシング５の適切な交換時期を容易に知ることができるバキュームクリーナを提供することを目的とする。
【０００８】
【課題を解決するための手段】
本発明は前記事情に鑑みてなされたもので、ファンケーシングの内側面であって被吸引物との接触により摩耗しやすい位置の前記ファンケーシングの外表面に、前記ファンケーシングの内側面側に向けて凹入する凹入部であって、前記被吸引物との接触により前記凹入部の内側面に生ずる摩耗を前記ファンケーシングの外部から確認可能な前記凹入部を設けたものであり、好ましくは、前記凹入部を前記ファンケーシングの外周に沿って複数設けた構成としたものである。
【０００９】
【発明の実施の形態】
以下、本発明の実施の一形態を図面に基づいて説明する。図１は本発明に係るバキュームクリーナのフアンケーシング部の正面図、図２はフアンケーシングの要部拡大断面図、図３はバキュームクリーナの全体斜視図である。図１及び図２に示す本発明の一実施形態に係るバキュームクリーナでは、前述した図３に示されたバキュームクリーナと同一部分には同一符号を付してある。
【００１０】
すなわち、前記本体部１の一側面に前記フアンケーシング５が、その外周に沿って設けられた取着部５ｃで着脱可能に取付けられ、前記フアンケーシング５内にカッター１１及びフアン１２が配設される。すなわち、該カッター１１及びフアン１２は、前記エンジン２の出力軸１４に取付けられ、さらに、前記フアンケーシング５の外側面の吸気口部５ｄに前記サクションパイプ６が着脱可能に連結される。
【００１１】
また、前記フアンケーシング５の吹出し口５ａには、前記吹出しパイプ７が着脱可能に連結され、該吹出しパイプ７の風下（吹出し）端には、前述の適宜の通気性を有するダストバッグ８が着脱可能に連結される。
【００１２】
本実施形態では、図１及び図２に示されているように、前記ファンケーシング５の外周に沿った摩耗しやすい適位置に、その外表面１３ａが前記ファンケーシング５の内側面５ｂに達する凹入部１３が設けられる。なお、該凹入部１３は、一箇所に限らず、前記ファンケーシング５の外周に沿って複数設けるとよい。図中、１５は、前記エンジン２の制御レバーである。
【００１３】
前記構成のバキュームクリーナを使用して落葉や木片、塵芥等の清掃作業を行う場合には、まず、前記本体部１と一体とされた前記フアンケーシング５の吸気口部５ｄに前記サクションパイプ６を連結するとともに、前記フアンケーシング５の前記吹出し口５ａに、その風下（吹出し）端に前記ダストバッグ８等を取付けた前記吹出しパイプ７を連結する。
【００１４】
つぎに、前記エンジン２を始動させると、前記カッター１１及び前記フアン１２が、前記フアンケーシング５内で回転させられる。
【００１５】
そして、前記フアン１２の回転によって落葉や木片、塵芥等の被吸引物が前記サクションパイプ６から前記フアンケーシング５内に吸込まれ、前記カッター１１により粉砕され、前記フアン１２の働きによって前記粉砕された被吸引物が前記フアンケーシング５の吹出し口５ａから、該吹出し口５ａに連結された前記吹出しパイプ７内に送られ、さらには、該吹出しパイプ７の風下（吹出し）端に設けられた前記ダストバッグ８に収納される。
【００１６】
この時、前記被吸引物の多くは、前記フアン１２の回転による遠心力によって、特に、前記吸気口部５ｄから前記フアンケーシング５の外周内側面５ｂに強く摩擦接触させられつつ前記吹出し口５ａへ送られる。
【００１７】
したがって、長期間使用すると、前記フアンケーシング５の前記内側面５ｂが前記被吸引物との摩擦接触によって徐々に摩耗され、所定期間内で交換せずそのまま長期間使用により、はなはだしい場合、前記フアンケーシング５が破損及び飛散したり、被吸引物が前記フアンケーシング５の破損部分から外部に飛び出す等の事態が生じる可能性もある。
【００１８】
しかしながら、本実施形態では、前記フアンケーシング５の適位置には、該フアンケーシング５の内側面５ｂに達する凹入部１３が設けられているため、前記のごとき事態を回避することができる（後述する笛効果をより確実に発揮せしめることを考慮しなければ、必ずしも前記内側面５ｂまで凹入させる必要はなく、許容摩耗量に対応した薄肉部を形成する凹入量でよい。）。
【００１９】
すなわち、本実施形態によれば、前記サクションパイプ６から吸込まれた前記被吸引物の多くは、前記フアンケーシング５の前記内側面５ｂに接触しつつ前記吹出し口５ａへ送られるが、その過程において、前記凹入部１３にも接触させられ、該凹入部１３が他の部分より早期にを摩耗する。
【００２０】
その結果、前記凹入部１３が肉薄部、あるいはさらに、貫通孔となって、前記フアンケーシング５の外部からその摩耗度を視覚で容易に確認できる。
【００２１】
そして、前記凹入部１３の摩耗度を視覚で確認した時点で、前記フアンケーシング５の交換を考えればよく、適期に交換しなかった結果として、前記フアンケーシング５が破損及び飛散したり、前記被吸引物が前記フアンケーシング５の破損部分から外部に飛び出す等の事態に至る可能性を除去することができる。
【００２２】
なお、前記凹入部１３が肉薄部、あるいは貫通孔となって、前記フアンケーシング５の外部から視覚によって確認できるだけでなく、貫通孔となった時点では、通常の運転音とは異なる音、例えば、笛のごとき音を発する構成にすることにもなり、この場合には、前記フアンケーシング５の交換時期を、視覚だけでなく聴覚によっても確認することができる。また、前記凹入部１３を前記フアンケーシング５の適位置に適数設ければ、摩耗チェックがより確実に行われ、好適である。
【００２３】
さらに、前記凹入部１３の肉厚、凹入量等は、ファンケーシングの所定の交換間隔に応じて適宜選定せしめればよく、さらにまた、前記笛効果を奏することはできなくなるが、安全性を確保するために、前記凹入部１３に透明材料を充填せしめてもよい。
【００２４】
【発明の効果】
本発明によれば、バキュームクリーナを使用する清掃作業において、落葉や木片、塵芥等の被吸引物との接触によるフアンケーシングの摩耗度を視覚等により確認でき、適切な交換時期を容易に知ることができる。
【図面の簡単な説明】
【図１】本発明の一実施形態に係るバキュームクリーナのフアンケーシング部の正面図である。
【図２】フアンケーシングの要部拡大断面図である。
【図３】バキュームクリーナの全体斜視図である。
【符号の説明】
５      フアンケーシング
５ｂ    内側面
１３    凹入部
１３ａ  外表面
【図１】
0004309985.tif 000002
【図２】
0004309985.tif 000003
【図３】
0004309985.tif 000004